(57)【要約】【課題】テクスチャ画像へ頑強に多くの情報を視覚に感知されないように埋め込む、および読み出す方法ならびに装置を提供する。【解決方法】第１の方法は、手続き的或いは画像処理により生成されるテクスチャ画像へ、局所的２値パターン（LBP）コードを拡張して計算される特徴量の出現確率から決定する、画像クラスの意図的な設定により、特定の情報を分割し、配置して埋め込む。情報を読み出すためには、生成された画像を撮影して得た画像データから、LBPコードの特徴量の出現確率を計算して相当する画像クラスを求めて、分割されている埋め込み情報を検出し、ブロックの配置順から復号する。第２の方法は、画像中の特定画素のLBPコードが埋め込み情報に対応するように生成して特定情報を埋め込む。情報の読み出しには、生成画像の撮影画像データから、特定画素のLBPコードを計算して埋め込まれた情報を検出し、特定画素の配置順から復号する。【選択図】図１
2007189676.tif 000002
【特許請求の範囲】
【請求項１】
人間の視覚に感知されない情報として埋め込むために、手続き的に、あるいは画像処理によって生成されるテクスチャ画像に対して、局所的な２値パターン・コードを計算し、決定された特徴量とその出現確率に基づいて、補足的な情報を分割して埋め込む方法。
【請求項２】
請求項１の方法に従って作成されたデジタル画像を、表示装置に映し出した画像または映像、あるいは印刷装置によって出力された印刷物。
【請求項３】
人間の視覚に感知されない情報を読み出すために、請求項１の方法を用いて作成される、請求項２の表示された、あるいは印刷された画像を、撮像装置によって撮影して取得されたデジタル画像データから、請求項１の方法で埋め込まれた情報を持つ画像ブロックを検出し、ブロック画像ごとの局所的な２値パターン・コードの特徴量とその出現確率に基づいて、請求項１の方法で埋め込まれた情報を検出する方法。
【請求項４】
請求項３で検出された情報を、画像ブロックの配置順等に従って組み合わせることにより再構成し、請求項１の方法により埋め込まれた情報を復号して取り出す方法。
【請求項５】
請求項１の方法を用いて作成される、請求項２の表示された、あるいは印刷された画像を作成するためのテクスチャ画像への情報埋め込み装置。
【請求項６】
請求項１の方法を用いて作成される、請求項２の表示された、あるいは印刷された画像から、撮影装置および画像処理を行なう計算機構を組み合わせて、請求項３と請求項４の方式を用いて埋め込まれている情報を検出し、有意な文字列などの情報を取り出す装置。
【請求項７】
テクスチャ画像への有意な文字列などの情報の埋め込みから、作成された埋め込み画像の出力、埋め込まれている情報の検出と有意な文字列などの情報を再構成して取り出すことを連携して行うことが可能な請求項５、ならびに請求項６の装置を組み合わせた画像処理装置。
【請求項８】
人間の視覚に感知されない情報として埋め込むために、手続き的に、あるいは画像処理によって生成されるテクスチャ画像に対して、局所的な２値パターン・コードを計算し、決定された特徴量に基づいて、特徴量が一致する中心画素と隣接画素を持つ基本テクスチャ画像を用いて補足的な情報を分割して埋め込む方法。
【請求項９】
請求項８の方式に従って作成されたデジタル画像を、表示装置に映し出した画像または映像、あるいは印刷装置によって出力された印刷物。
【請求項１０】
人間の視覚に感知されない情報を読み出すために、請求項８の方式を用いて作成される、請求項９の表示された、あるいは印刷された画像を、撮像装置によって撮影して取得されたデジタル画像データから、請求項８の方式で埋め込まれた情報を持つ画像ブロックを検出し、ブロック画像ごとの局所的な２値パターン・コードの特徴量に基づいて、請求項８の方式で埋め込まれた情報を検出する方法。
【請求項１１】
請求項１０で検出された情報データを、画像ブロックの配置順等に従って組み合わせることにより再構成し、請求項８の方式により埋め込まれた情報を復号して取り出す方法。
【請求項１２】
請求項８の方式を用いて作成される、請求項９の表示された、あるいは印刷された画像を作成するためのテクスチャ画像への情報埋め込み装置。
【請求項１３】
請求項８の方式を用いて作成される、請求項９の表示された、あるいは印刷された画像から、撮影装置および画像処理を行なう計算機構を組み合わせて、請求項１０と請求項１１の方式を用いて埋め込まれている情報を検出し、有意な文字列などの情報を取り出す装置。
【請求項１４】
テクスチャ画像への有意な文字列などの情報の埋め込みから、作成された埋め込み画像の出力、埋め込まれている情報の検出と有意な文字列などの情報を再構成して取り出すことを連携して行うことが可能な請求項１２、ならびに請求項１３の装置を組み合わせた画像処理装置。
【発明の詳細な説明】
【技術分野】
【０００１】
本発明は、テクスチャ画像に情報を埋め込む方法ならびに装置と、その画像を撮像装置で撮影して得られるデジタルデータから、埋め込まれた情報を読み込む方法ならびに装置に関するものである。
【背景技術】
【０００２】
画像データに対して情報を埋め込む従来技術（例えば、非特許文献１を参照）は、その用途により「電子透かし」や「ステガノグラフィ」と呼ばれている。これらの技術は、デジタルの画像データに対して色や周波数領域での変換を施して情報を埋め込むのが基本的なアプローチである。
【０００３】
一方、印刷した画像を対象とした情報の埋め込み技術で、２次元バーコードのようにアナログ的な雑音や変形に対する耐性を有する手法として、色情報によるコード化手法（特許文献１）、画像ブロック毎の階調差を用いた手法（非特許文献２）、および冗長コードを導入する手法（特許文献２）が提案されている。
【０００４】
雑音や変形の混入が不可避であるアナログ過程を経た画像データに対してデジタル画像データの電子透かしなどで用いられている手法を適用する場合、雑音や変形に対する耐性の確保には、デジタルデータの改竄に対して必要とされる耐性よりも多くの冗長性を必要とする。したがって、デジタルデータに対する手法を拡張しただけの従来技術の方法では、数バイト程度の情報しか埋め込めないという問題がある。
【０００５】
さらに画像データに変換を施す従来の方法は、多くのデータを雑音に対して頑健に埋め込もうとすると、原画像の見栄えを損なうような模様や汚れ部分が多く生じてしまうという欠点がある。
【特許文献１】特開２００１−１９５５３６号公報
【特許文献２】特開２０００−２８７０７３号公報
【非特許文献１】画像電子学会編「電子透かし技術 デジタルコンテンツのセキュリティ」、東京電機大学出版局、２００４年
【非特許文献２】富士通ジャーナル ２００５年６月号、“New テクノロジー（１）”、http://jp.fujitsu.com/about/journal/281/newtechnology/
【発明の開示】
【発明が解決しようとする課題】
【０００６】
本発明が解決しようとする課題は、印刷や撮影に際して雑音混入や画像の変形等に対する耐性確保のために、画像データへ埋め込まれる情報量が僅か数バイト程度であること、さらに多くの情報を頑健に埋め込むと、原画像を損なう模様や汚れが生じてしまうこと、という従来技術の問題点である。
【０００７】
そこで本発明では、画像の印刷や撮影の際に混入する雑音やひずみに対しても頑強に、これまでよりもより多くの情報を埋め込む、および情報を読み出すことを可能とする方法ならびに装置を提供する。
【課題を解決するための手段】
【０００８】
本発明では、印刷されるテクスチャ画像に対して人間の視覚に感知されない情報を埋め込み、および読み出す方法を実現する。また本発明では、２通りの解決するための方法を提供する。
【０００９】
まず課題を解決するための第１の方法である、情報を埋め込む方法について記述する。埋め込む情報をｎビットごとに分け、そのｎビットデータからLBP(Local Binary Pattern：局所的２値パターン、非特許文献３を参照)の手法で計算されるLBPコードの特徴量の出現確率から、その画像のクラスを決定する。
【００１０】
テクスチャを生成する際には、対象とする画像のLBPコードの特徴量の出現確率で決定される画像のクラスが、埋め込む情報を用いて設定した種類となるように、生成時に用いる変数値を調整する。
【００１１】
次に、このｎビットの情報を埋め込むように生成した複数枚の画像を規則的に配置し、隣接する画像が連続的に変化するように画像同士をつなぐ処理を施す。
【００１２】
また、カラー画像に関しても、各色成分に同様な手続きを繰り返し実行して埋め込み画像を生成することができる。
【００１３】
第1の埋め込み方法を実現する装置を図4に示す。この埋め込み装置は、クラス種類決定部13、部分画像生成部14および部分画像配置連結部15から構成される。
【００１４】
クラス種類決定部13では、埋め込み情報12をnビットごとに分割し、その分割されたデータごとにLBPコードの特徴量の出現確率に対応するクラスを決定する。
【００１５】
部分画像生成部14では、クラス種類決定部13で決定したクラスになるような画像を生成する。
【００１６】
部分画像配置連結部15では、部分画像生成部14で生成した画像を規則的に配置し、隣接する画像が連続的に変化するように画像同士をつなぐ処理を施す。
【００１７】
ここで、本発明の第１の方法の埋め込み方法によって情報を埋め込まれた画像から情報を読み出す方法について記述する。対象となる画像から検出した枠の幾何学的な情報に基づいて、ｎビットデータが埋め込まれているブロックごとの画像を切り出す。
【００１８】
各ブロック画像に対して、LBPコードの特徴量の出現確率から決定される画像のクラスを求め、埋め込み方法とは逆に、埋め込まれている情報データを復号する。
【００１９】
次に、復号されたｎビットの情報データを画像ブロックの配置順にしたがって連結し、埋め込まれている情報を読み出す。
【００２０】
埋め込み方法と同様に、カラー画像に関しては、各色成分に必要とされる手続きを実行して埋め込み情報を読み出すことができる。
【００２１】
第１の埋め込み方法によって情報を埋め込まれた画像から埋め込み情報検出を実現する装置を図５に示す。この検出装置は、画像校正部23、画像分割部24、出現確率計算部25、データ復号部26およびデータ連結部27から構成される。
【００２２】
画像校正部23では、検出対象画像22の埋め込み画像部分を矩形領域に校正し、画像分割部24では、その画像をｎビットデータが埋め込まれているブロックごとに分割する。
【００２３】
出現確率計算部25では、分割された画像ごとに、LBPコードの特徴量の出現確率を計算する。
【００２４】
データ復号部26では、出現確率計算部25で計算された出現確率からクラスを求め、対応するnビットのデータに復号する。
【００２５】
データ連結部27では、データ復号部25で復号されたnビットのデータを画像ブロックの配置順にしたがって連結し、埋め込まれている情報を読み出す。
【００２６】
次に課題を解決するための第２の方法である、情報を埋め込む方法について記述する。まず埋め込む情報をｎビットごとに分け、そのｎビットデータからLBPコードを決定する。
【００２７】
画像の中心画素のLBPコードが、ｎビットデータから決定したLBPコードと一致するように中心画素と隣接画素を決定した画像を生成する。
【００２８】
次に、このｎビットの情報を埋め込むように生成した複数枚の画像を規則的に配置し、そして残りの未決定の画素を既に決定された画素から決める。
【００２９】
第２の埋め込み方法を実現する装置を図６に示す。この埋め込み装置は、画像解析部18、LBPコード決定部19、中心画素、近傍画素生成部110、部分画像配置部111および未決定画素生成部112から構成される。
【００３０】
画像解析部18では、特定の色空間の色を用いて全ての画素を3種類に分類する。
【００３１】
LBPコード決定部19では、埋め込み情報12をnビットごとに分割し、nビットごとに決定する。
【００３２】
中心画素、近傍画素生成部110では、画像解析部18で分類された3種類の画素から、LBPコード決定部19で決定したLBPコードが検出されるように中心画素と近傍画素を生成する。
【００３３】
部分画像配置部では、中心画素、近傍画素生成部110で生成した画像を規則的に配置する。
【００３４】
未決定画素生成部112では、中心画素、近傍画素生成部110で生成した以外の画素を生成する。
【００３５】
本発明の第２の方法の埋め込み方法によって情報を埋め込まれた画像から情報を読み出す方法について記述する。対象となる画像から検出した枠の幾何学的な情報に基づいて、ｎビットデータが埋め込まれているブロックごとの画像を切り出す。
【００３６】
各ブロック画像に対して、中心画素のLBPコードを求め、埋め込み方法とは逆に、埋め込まれている情報データを復号する。
【００３７】
次に、復号されたｎビットの情報データを画像ブロックの配置順にしたがって連結し、埋め込まれている情報を読み出す。
【００３８】
第２の埋め込み方法によって情報の埋め込まれた画像から埋め込み情報検出を実現する装置を図７に示す。この検出装置は、画像校正部23、画像分割部24、LBPコード計算部29、データ復号部26およびデータ連結部27から構成され、LBPコード計算部29以外は第1の検出方法と同様である。
【００３９】
LBPコード計算部29では、画像分割部24で分割された画像ごとに、LBPコードを計算する。
【発明の効果】
【００４０】
本発明では、テクスチャ画像を生成するアルゴリズムに情報を埋め込む機構を組み込むことができるので、画像データの変換や逆変換を用いる既存の方法のように、原画像の見栄えを損なう品質劣化が生じない。さらにテクスチャ画像に特化した特徴量の抽出技術に基づいて情報の検出機構を実現するので、画像の印刷や撮影の過程で混入する雑音や変形に対する耐性を向上させることが可能となる。結果として、従来技術よりも頑健に画像に埋め込むこと、ならびに読み出すことができる。
【発明を実施するための最良の形態】
【００４１】
まず、本発明の第１の方法を用いる場合について記述する。説明は濃淡（グレースケール）画像に対する情報の埋め込みについて行うが、カラー画像に関しては、各色成分に対し、同様に基本的な手続きを繰り返し適用すればよい。
【００４２】
画像に情報を埋め込む機構は、図１（a）のa.1、a.2、a.3、a.4、a.5、a.6の手続きで構成される。また、図４は、本発明の第1の方法を用いる埋め込み装置の構成を示す。
【００４３】
図１（a）のa.1では、埋め込む情報をｎビットごとに分割する。ただし、各ｎビットデータの順番と画像位置の関係は、あらかじめ決定しておく。
【００４４】
図１（a）のa.2では、LBPコードの特徴量の出現確率から、ｎビットのデータを埋め込むのに用いる画像のクラスを設定する。
【００４５】
LBPコードの特徴量の出現確率の計算方法について次に示す。
【００４６】
ある画素と一定距離だけ離れて等間隔に配置されたN個の画素（以後、隣接画素と記す）の各画素対でのグレースケール値を大小関係によって０か１の値を割り振って得られるNビットのコード、すなわちLBPコードの各ビットを周回的に走査して、一周する間にその値が反転する回数が２以下のものに対しては、１の値を有するビットの数をそのコードの特徴量とする。一方、反転回数が３以上のコードに対しては、N+1をその特徴量とする。画像データの全ての画素に対して以上のようにLBPコードの特徴量を計算し、その出現回数を総画素数で割った値を出現確率とする。
【００４７】
全画素ブロックに対して計算されたLBPコード特徴量の出現確率の変動量から、画像を一意に分類するための２ｎ個の種類のクラスを構成する。例えば、８個の隣接画素に対して求めた特徴量に関して、４の値を有する特徴量の出現確率の変動幅が大きい場合には、その出現確率を２ｎ個に分割した値域を用いてクラスを構成する。ただし、そのような方法以外にも、一般的なクラスタリングの手法を用いた任意のクラス設定法を用いることができる。
【００４８】
図１（a）のa.3では、埋め込むｎビットのデータに対して、LBPコードの特徴量の出現確率から計算されるべき画像クラスの種類を決定する。このa.1、a.2およびa.3の手続きは、図４の埋め込み情報12に対して、クラス種類決定部13で処理される。
【００４９】
図１（a）のa.4では、LBPコード特徴量の出現確率から計算される画像のクラスが、a.3で決定した種類になるように、テクスチャ画像の生成機構における変数値を調整する。このa.4の手続きは、図４のクラス種類決定部13からのデータを入力として、部分画像生成部14で処理される。
【００５０】
図１（a）のa.5では、各ｎビットの情報に対して生成された複数のテクスチャ画像を規則的に配置し、それらを連続的につなぎ合わせる。
【００５１】
図１（a）のa.6では、情報を埋め込んである画像領域を検出するための枠を取り付ける。これらa.5、a.6の手続きは、図４の部分画像配置連結部15で、部分画像生成部14の出力データに対して処理される。図４の情報埋め込み装置11の出力として、埋め込み画像を得る。
【００５２】
本発明の第１の方法に対する読み込みの機構は、図１（b）のb.1、b.2、b.3、b.4の手続きで構成される。また、図５は本発明の第1の方法を用いる埋め込み情報検出装置の構成を示す。
【００５３】
図１（b）のb.1では、画像領域を検出するための枠を認識し、その情報に基づいて撮影した画像を元の矩形領域の状態に戻す校正処理を実行する。このb.1の手続きは、図５の検出対象画像22に対して、画像校正部23で処理される。
【００５４】
図１（b）のb.2では、各ｎビットの情報が埋め込まれている部分のブロック毎に画像を分割して切り出す。このb.2の手続きは、図５の画像校正部23からのデータを入力として、画像分割部24で処理される。
【００５５】
図１（b）のb.3では、各ブロック画像に対してLBPコードの特徴量の出現確率を計算する。このb.3の手続きは、図５の出現確率計算部25で、画像分割部24の出力データに対して処理される。
【００５６】
図１（b）のb.4では、b.3で計算した出現確率からその画像のクラスの種類を決定してｎビットのデータを復号する。例えば、２ビットデータを埋め込むのに特定の特徴量の出現確率を４段階で等分割した範囲に基づいて４種類のクラスを割り当てた場合、その出現確率の範囲が0〜Tに０、T〜2Tに１、2T〜3Tに２、および3T〜に３のデータを割りあてる。ただし、実施例１ではTを0.25以下の数値としている。このb.4の手続きは、図５のデータ復号部26で、出現確率計算部25の出力データに対して処理される。
【００５７】
図１（b）のb.5では、b.4で復号されたｎビットずつのデータを、画像の配置順を考慮して連結する。このb.5の手続きは、図５のデータ連結部27で、データ復号部26の出力データに対して処理される。図５の情報埋め込み装置21の出力として、検出結果が得られる。
【００５８】
次に本発明の第２の方法を用いた場合について記述する。この方法を用いる場合には、埋め込み情報以外に、最終的に生成されるテクスチャの基になるテクスチャ（以後、基本テクスチャとする）を必要とする。
【００５９】
テクスチャ画像に情報を埋め込む機構は、図１（a）のa.1、a.7、a.8、a.9、a.10、a.11、a.6の手続きで構成される。また図５は、本発明の第２の方法を用いる埋め込み装置の構成を示す。
【００６０】
図１（a）のa.7では、ｎビットのデータに対応するLBPコードを設定する。例えば、ｎビットのデータを埋め込む場合には、ｎビットのLBPコードとｎビットの埋め込みデータが１対１で対応する。また、図１（a）のa.1とa.7の手続きは、図６の埋め込み情報12に対して、LBPコード決定部19で処理される。
【００６１】
図１（a）のa.8では、基本テクスチャを解析し、全ての画素を中間色、高値色、低値色の3種類に分類する。
【００６２】
まず、基本テクスチャの画像の特定色空間に変換し、その内の１階層（以後、索引空間とする）を取得する。例えば、YCbCr色空間のCb成分などを索引空間として用いる。この索引空間での画素値の小さい順に全画素を並び替えて表を作る。この表の真中にある画素（以後、中間画素と記す）を中間色と呼ぶ。この索引空間での中間画素の値よりｔ以上大きい画素を高値色とする。また中間画素の値よりｔ以上小さい画素を低値色とする。このa.8の手続きは、図6の入力画像17に対して、画像解析部18で処理される。
【００６３】
図１（a）のa.9では、画像の中心画素の索引空間でのLBPコードがa.7で決定したLBPコードと一致するように、a.8で分類した３種類の色から選択して中心画素と隣接画素を決めた画像を生成する。ただし、中心画素は中間色を用いる。隣接画素はLBPコードのビットが１を有する所には高値色を用い、０を有する所には低値色を用いる。また検出時には位置のずれが予想されるため、中心画素と隣接画素の近傍の数画素も同色に設定する。このa.9の手続きは、図６の中心画素、近傍画素生成部110で処理される。
【００６４】
図１（a）のa.10では、各ｎビットの情報に対して生成された複数画像を規則的に配置する。このa.10の手続きは、図６の部分画像配置部111で、中心画素、近傍画素生成部110の出力データに対して処理される。
【００６５】
図１（a）のa.11では、残りの未決定の画素を決定済みの画素から生成する。このa.11、a.6の手続きは、図６の未決定画素生成部112で、画像解析部18と部分画像配置部111のデータに対して処理される。図６の情報埋め込み装置の出力として、埋め込み画像16を得る。
【００６６】
本発明の第２の方法に対する読み込みの機構は、図１（b）のb.1、b.2、b.6、b.7、b.5 の手続きで構成される。また図７は、本発明の第２の方法を用いる埋め込み情報検出装置の構成を示す。
【００６７】
第１の方法を用いる埋め込み情報検出装置と同様に図１（b）のb.1、b.2およびb.5の手続きは、図7の検出対象画像22から順次、画像校正部23、画像分割部24、およびデータ連結部27のそれぞれで実行される。
【００６８】
図１（b）のb.6では、各ブロック画像を索引空間に変換し、中心画素のLBPコードを計算する。このb.６の手続きは、図7の画像分割部24からのデータを入力として、LBPコード計算部29で処理される。
【００６９】
図１（b）のb.7では、b.6で計算したLBPコードからｎビットのデータを復号する。このb.2の手続きは、図７のデータ復号部26で、LBPコード計算部29の出力データに対して処理される。データ復号部26により復号されたデータを有意となるようにデータ連結部27で処理し、堅守結果28が得られる。
【非特許文献３】Topi Maenpaa、Matti Pietikainen、「Textureanalysis with local binary patterns」、Handbook of Pattern Recognition andComputer Vision 3rd ed、World Scientific、ｐｐ１９７−２１６、２００５年
【実施例１】
【００７０】
図２は、本発明の第１の方法の情報埋め込み手法により１２８ビットの情報を埋め込んだ（７３６×７３６）テクスチャ画像である。この画像に使われている埋め込みデータは、文字列“http://www.val.i”である。６４×６４ピクセルに２ビットの情報を埋め込み、それを２次元格子状に６４個（縦８、横８）の画像ブロックとして余白を設けて配置した。ここで、画像間の余白幅は３２画素分である。
【００７１】
この画像は、本発明による第１の埋め込み手法を、Perlinのテクスチャ生成関数（非特許文献４）に適用して生成したテクスチャ画像である。図２(a)は情報を埋め込んだ８×８の各ブロック画像を表し、図２(b)はそれらの画像を連続的につなげるように補間計算して生成した画像例である。
【００７２】
この画像を印刷装置、例えばプリンタでモノクロ印刷し、約８０ｃｍの距離だけ離して接写レンズとほぼ平行にして撮影装置、例えばカメラで撮影して得られた画像データに対して、本発明による復号計算で検出された情報と元の情報を比較して誤りビット数を求めた結果を表１に示す。
【００７３】
【表１】
2007189676.tif 000003
【００７４】
上記の表は様々な解像度の画像における、図２の生成画像で検出された情報の誤り率と検出結果を表している。この実験結果より、低解像度の画像データに対しては埋め込んだデータを完全には取り出せないことが示される。このような場合には、一般的な誤り訂正符号を導入することで対応できる。
【非特許文献４】Ken Perlin、「An ImageSynthesizer」、Proceedings of SIGGRAPH '85、ｐｐ２８７−２９６、１９８５年
【実施例２】
【００７５】
図３は、本発明の第２の方法の情報埋め込み手法により８００ビットの情報を埋め込んだ（２００×２００）テクスチャ画像である。２０×２０ピクセルに８ビットの情報を埋め込み、それを２次元格子状に１００個（縦１０、横１０）の画像ブロックとして配置した。この画像に使われている埋め込みデータは、文字列“http://www.mmip.tutics.tut.ac.jp/pukiwiki/index.php?Member%27s%20Only%20%28%B8%A6%B5%E6%BC%BC%C6%E2%”である。ただし図４は、グレースケールで表現されているが、実際にはカラー画像である。
【００７６】
この画像は、本発明による第２の埋め込み手法を、図３(a)の６４×６４の基本テクスチャを基にして生成したテクスチャ画像である。索引空間にはYCrCb空間のCr階層を使用し、閾値ｔは３０に設定した。また中心画素と隣接画素を中心とした３×３の矩形領域を同色にして生成した。図３(b)は情報を埋め込んだ２０×２０の各ブロック画像を表し、図３(c)はそれらの画像を連続的につなげるように図３(b)の未決定の画素をWeiのテクスチャ生成法（非特許文献５）で補間計算して生成した画像例である。
【００７７】
この画像を印刷装置、例えばプリンタでカラー印刷し、約３０ｃｍの距離だけ離して接写レンズとほぼ平行にして撮影装置、例えばカメラで撮影して得られた１６枚の画像データに対して、本発明による復号計算で検出された情報と元の情報を比較して誤りビット数を求めた。結果として１６枚中１枚に２４ビット誤りが生じた。それ以外の画像データは正しく検出できた。誤りの原因は、カメラの焦点のずれによるb.1の処理の失敗である。この実験結果より、焦点が大きくずれた場合には、埋め込んだデータを完全には取り出せない可能性があることが示される。このような場合には、一般的な誤り訂正符号を導入することで対応できる。
【非特許文献５】、Li-Yi Wei、Marc Levoy、「FastTexture Synthesis using Tree-structured Vector Quantization」Proceedingsof SIGGRAPH 2000、ｐｐ４７９−４８８、２０００年
【産業上の利用可能性】
【００７８】
雑誌や新聞等の印刷物を媒介とした画像メディアコンテンツだけでなく、大型の壁紙やクロスへの印刷物、さらにはプロジェクタによってスクリーンに投影した映像までも、対象コンテンツとして考えられる。請求項１、請求項２、請求項８ならびに請求項９に関しては、情報を埋め込んだテクスチャ画像を生成するソフトウェア製品として、請求項３、請求項４、請求項１０ならびに請求項１１、に関しては、２次元バーコードに代わるカメラを用いた情報取得方法を提供するソフトウェア製品として、さらに請求項５、請求６、請求項７、請求項１２、請求１３、ならびに請求項１４に関しては、図８に示すように、上述したソフトウェア製品とカメラ、プリンタ、および携帯電話等のハードウェア装置を組み合わせた製品としての産業上の応用が考えられる。これまでは困難であった人工的なテクスチャ画像に情報を埋め込む事ができ、コンテンツ製作者の利便性，表現力の拡大に資する。
【図面の簡単な説明】
【００７９】
【図１】本発明によるテクスチャ画像への情報の埋め込み過程と読み込み過程を示した説明図。（a）情報の埋め込み過程（b）情報の読み込み過程。
【図２】本発明の第１の手法により生成されたテクスチャ画像の例。（a）ブロック間の補間処理前、（b）ブロック間の補間処理後。
【図３】本発明の第2の手法により生成されたテクスチャ画像の例。（a）基本テクスチャ（b）補間処理前、（c）補間処理後。
【図４】本発明の第１の手法による埋め込み装置の構成図。
【図５】本発明の第１の手法による埋め込み情報検出装置の構成図。
【図６】本発明の第２の手法による埋め込み装置の構成図。
【図７】本発明の第２の手法による埋め込み情報検出装置の構成図。
【図８】本発明による情報埋め込み装置および埋め込み情報検出装置に関する模式図。
【符号の説明】
【００８０】
１１    本発明による情報埋め込み装置
１２    埋め込み情報  文字列“http://...”
１３    クラス種類決定部
１４    部分画像生成部
１５    部分画像配置連結部
１６    生成した埋め込み画像
１７    入力画像  基本テクスチャ画像
１８    画像解析部
１９    LBPコード決定部
１１０  中心画素、近傍画素生成部
１１１  部分画像配置部
１１２  未決定画素生成部
１１３  印刷装置
１１４  表示装置
２１    本発明による埋め込み情報検出装置
２２    検出対象画像
２３    画像校正部
２４    画像分割部
２５    出現確率計算部
２６    データ復号部
２７    データ連結部
２８    検出結果  文字列“http://...”
２９    LBPコード計算部
２１０  撮影装置
【図１】
2007189676.tif 000004
【図２】
2007189676.tif 000005
【図３】
2007189676.tif 000006
【図４】
2007189676.tif 000007
【図５】
2007189676.tif 000008
【図６】
2007189676.tif 000009
【図７】
2007189676.tif 000010
【図８】
2007189676.tif 000011